(57)【要約】【課題】  録画済み番組を再生する時、再生終了時刻がいつ頃になるのかが直感的にわからないため、再生開始しても途中で再生を中断せざるを得ない場合があり、ユーザにとっては不便である。【解決手段】  リモコンからの再生操作によってコンテンツの再生を行う録画再生装置において、録画済み複数コンテンツから再生したいコンテンツを選択する選択手段と、前記選択したコンテンツの録画時間と現在時刻から再生終了時刻を算出する再生終了時刻算出手段と、前記現在時刻をコンテンツ再生開始時刻、前記再生終了時刻をコンテンツ再生終了時刻として、現在時刻の経過とともに再生済み時間をグラフ表示するプログレスバーを生成する表示情報生成手段と、前記プログレスバーを表示する表示手段を備える。【選択図】  図１
2006295753.tif 000002
【特許請求の範囲】
【請求項１】
リモコンからの再生操作によってコンテンツの再生を行う録画再生装置において、
録画済み複数コンテンツから再生したいコンテンツを選択する選択手段と、
前記選択したコンテンツの録画時間と現在時刻から再生終了時刻を算出する再生終了時刻算出手段と、
前記現在時刻をコンテンツ再生開始時刻、前記再生終了時刻をコンテンツ再生終了時刻として、現在時刻の経過とともに再生済み時間をグラフ表示するプログレスバーを生成する表示情報生成手段と、
前記プログレスバーを表示する表示手段を備えたことを特徴とする録画再生装置。
【請求項２】
さらに前記録画再生装置は、再生中のコンテンツを停止後、停止位置から再び再生開始した場合、
前記再生終了時刻算出手段は、前記コンテンツの残り録画時間と現在時刻から再生終了時刻を算出し、
前記表示情報生成手段は、前記コンテンツ再生開始時刻をそのままにして、前記再生終了時刻をコンテンツ再生終了時刻として、現在時刻までの再生済み時間をグラフ表示するプログレスバーを生成することを特徴とする請求項１記載の録画再生装置。
【請求項３】
さらに前記録画再生装置は、再生終了時刻を入力する入力手段と、前記入力した再生終了時刻と、現在時刻と、コンテンツの録画時間からコンテンツの再生速度を算出する再生速度算出手段を備え、
前記表示情報生成手段は、現在時刻をコンテンツ再生開始時刻、前記入力した再生終了時刻をコンテンツ再生終了時刻として、現在時刻の経過とともに前記再生速度で再生した再生済み時間をグラフ表示するプログレスバーを生成することを特徴とする請求項１記載の録画再生装置。
【請求項４】
さらに前記録画再生装置は、コンテンツ再生時間を入力する入力手段と、前記入力したコンテンツ再生時間と、コンテンツの録画時間からコンテンツの再生速度を算出する再生速度算出手段を備え、
前記再生終了時刻算出手段は、現在時刻と前記入力したコンテンツ再生時間から再生終了時刻を算出し、
前記表示情報生成手段は、現在時刻をコンテンツ再生開始時刻、前記再生終了時刻をコンテンツ再生終了時刻として、現在時刻の経過とともに前記再生速度で再生した再生済み時間をグラフ表示するプログレスバーを生成することを特徴とする請求項１記載の録画再生装置。
【請求項５】
さらに前記録画再生装置は、コンテンツ再生速度を入力する入力手段を備え、
前記再生終了時刻算出手段は、現在時刻と、コンテンツの録画時間と、前記入力した再生速度から再生終了時刻を算出し、
前記表示情報生成手段は、現在時刻をコンテンツ再生開始時刻、前記再生終了時刻をコンテンツ再生終了時刻として、現在時刻の経過とともに前記再生速度で再生した再生済み時間をグラフ表示するプログレスバーを生成することを特徴とする請求項１記載の録画再生装置。
【請求項６】
さらに前記録画再生装置は、録画中のコンテンツの再生開始指示をした場合、
前記再生終了時刻算出手段は、録画中のコンテンツの放送時間と現在時刻から再生終了時刻を算出し、
前記表示情報生成手段は、現在時刻をコンテンツ再生開始時刻、前記再生終了時刻をコンテンツ再生終了時刻として、現在時刻の経過とともに再生済み時間をグラフ表示するプログレスバーを生成することを特徴とする請求項１記載の録画再生装置。
【請求項７】
リモコンからの再生操作によってコンテンツの再生を行う録画再生方法において、
録画済み複数コンテンツから再生したいコンテンツを選択する選択ステップと、
前記選択したコンテンツの録画時間と現在時刻から再生終了時刻を算出する再生終了時刻算出ステップと、
前記現在時刻をコンテンツ再生開始時刻、前記再生終了時刻をコンテンツ再生終了時刻として、現在時刻の経過とともに再生済み時間をグラフ表示するプログレスバーを生成する表示情報生成ステップと、
前記プログレスバーを表示する表示ステップを備えたことを特徴とする録画再生方法。
【請求項８】
さらに前記録画再生方法は、再生終了時刻を入力する入力ステップと、前記入力した再生終了時刻と、現在時刻と、コンテンツの録画時間からコンテンツの再生速度を算出する再生速度算出ステップを備え、
前記表示情報生成ステップは、現在時刻をコンテンツ再生開始時刻、前記入力した再生終了時刻をコンテンツ再生終了時刻として、現在時刻の経過とともに前記再生速度で再生した再生済み時間をグラフ表示するプログレスバーを生成することを特徴とする請求項７記載の録画再生方法。
【請求項９】
リモコンからの再生操作によってコンテンツの再生を行う録画再生プログラムにおいて、
録画済み複数コンテンツから再生したいコンテンツを選択する選択ステップと、
前記選択したコンテンツの録画時間と現在時刻から再生終了時刻を算出する再生終了時刻算出ステップと、
前記現在時刻をコンテンツ再生開始時刻、前記再生終了時刻をコンテンツ再生終了時刻として、現在時刻の経過とともに再生済み時間をグラフ表示するプログレスバーを生成する表示情報生成ステップと、
前記プログレスバーを表示する表示ステップを備えたことを特徴とする録画再生プログラム。
【請求項１０】
さらに前記録画再生プログラムは、再生終了時刻を入力する入力ステップと、前記入力した再生終了時刻と、現在時刻と、コンテンツの録画時間からコンテンツの再生速度を算出する再生速度算出ステップを備え、
前記表示情報生成ステップは、現在時刻をコンテンツ再生開始時刻、前記入力した再生終了時刻をコンテンツ再生終了時刻として、現在時刻の経過とともに前記再生速度で再生した再生済み時間をグラフ表示するプログレスバーを生成することを特徴とする請求項９記載の録画再生プログラム。
【発明の詳細な説明】
【技術分野】
【０００１】
本発明は、動画や音声などの記録／再生を行う記録再生装置に関する。
【背景技術】
【０００２】
光ディスクやハードディスクドライブなどのディスクメディアを用いたＤＶＤレコーダやハードディスクレコーダが、ビデオテープレコーダの後継機として急速に普及しつつある。
ディスクメディアを使用すれば、ビデオテープを用いたときのような巻き戻し作業をする必要がなく、記録済みの番組を好きな時にすぐ見ることが可能である。また、ディスクメディアの大容量化に伴い、見たい番組を好きなだけメディアに撮り貯めることが可能となる。
撮り貯めておいた記録番組を空き時間に再生する際、残り再生時間を知りたい場合がよくある。これに対する従来方法として、番組の録画時に、現在時刻と録画終了時刻から算出した残り時間を放送番組と一緒に適宜記録しておき、番組の再生時に記録した情報を用いて残り再生時間を表示するというものがある。この方法の詳細については、特許文献１を参照のこと。
【特許文献１】特開平４−１０９４８１号公報
【発明の開示】
【発明が解決しようとする課題】
【０００３】
ディスクメディアの大容量化に伴い、見たい番組を好きなだけ撮り貯めることが可能になるが、記録した番組を、空き時間などに見ようとした場合、空き時間より長く記録番組を見てしまい、本来するべき処理が遅れてしまうという問題が発生しうる。これに対して、従来方法では、残り再生時間を表示させているが、この表示だけだと何時までかかるのかの判断をユーザが行わなければならない。
また、残り再生時間を表示させることにより、ユーザが見ることができる番組の判断を行うことが可能となるが、この方法だと、ユーザが所望した番組を空き時間に全て見るということはできない。
【０００４】
本発明は上記課題を解決するためのものであり、ユーザに再生終了時刻を提示し、ユーザが指定した時間内に再生を完了させることにより、ユーザが所望した番組を好きな時に見ることができる記録再生装置を提供することを目的とする。
【課題を解決するための手段】
【０００５】
前記従来の課題を解決するために、本発明の録画再生装置は、リモコンからの再生操作によってコンテンツの再生を行う録画再生装置において、録画済み複数コンテンツから再生したいコンテンツを選択する選択手段と、前記選択したコンテンツの録画時間と現在時刻から再生終了時刻を算出する再生終了時刻算出手段と、前記現在時刻をコンテンツ再生開始時刻、前記再生終了時刻をコンテンツ再生終了時刻として、現在時刻の経過とともに再生済み時間をグラフ表示するプログレスバーを生成する表示情報生成手段と、前記プログレスバーを表示する表示手段を備えたことを特徴とする。
【０００６】
また、本発明の録画再生装置はさらに、再生中のコンテンツを停止後、停止位置から再び再生開始した場合、前記再生終了時刻算出手段は前記コンテンツの残り録画時間と現在時刻から再生終了時刻を算出し、前記表示情報生成手段は前記コンテンツ再生開始時刻をそのままにして、前記再生終了時刻をコンテンツ再生終了時刻として、現在時刻までの再生済み時間をグラフ表示するプログレスバーを生成することを特徴とする。
【０００７】
また、本発明の録画再生装置はさらに、再生終了時刻を入力する入力手段と、前記入力した再生終了時刻と、現在時刻と、コンテンツの録画時間からコンテンツの再生速度を算出する再生速度算出手段を備え、前記表示情報生成手段は、現在時刻をコンテンツ再生開始時刻、前記入力した再生終了時刻をコンテンツ再生終了時刻として、現在時刻の経過とともに前記再生速度で再生した再生済み時間をグラフ表示するプログレスバーを生成することを特徴とする。
【０００８】
また、本発明の録画再生装置はさらに、コンテンツ再生時間を入力する入力手段と、前記入力したコンテンツ再生時間と、コンテンツの録画時間からコンテンツの再生速度を算出する再生速度算出手段を備え、前記再生終了時刻算出手段は、現在時刻と前記入力したコンテンツ再生時間から再生終了時刻を算出し、前記表示情報生成手段は、現在時刻をコンテンツ再生開始時刻、前記再生終了時刻をコンテンツ再生終了時刻として、現在時刻の経過とともに前記再生速度で再生した再生済み時間をグラフ表示するプログレスバーを生成することを特徴とする。
【０００９】
また、本発明の録画再生装置はさらに、コンテンツ再生速度を入力する入力手段を備え、前記再生終了時刻算出手段は、現在時刻と、コンテンツの録画時間と、前記入力した再生速度から再生終了時刻を算出し、前記表示情報生成手段は、現在時刻をコンテンツ再生開始時刻、前記再生終了時刻をコンテンツ再生終了時刻として、現在時刻の経過とともに前記再生速度で再生した再生済み時間をグラフ表示するプログレスバーを生成することを特徴。
【００１０】
また、本発明の録画再生装置はさらに、録画中のコンテンツの再生開始指示をした場合、前記再生終了時刻算出手段は、録画中のコンテンツの放送時間と現在時刻から再生終了時刻を算出し、前記表示情報生成手段は、現在時刻をコンテンツ再生開始時刻、前記再生終了時刻をコンテンツ再生終了時刻として、現在時刻の経過とともに再生済み時間をグラフ表示するプログレスバーを生成することを特徴とする。
【００１１】
また、本発明の録画再生方法は、リモコンからの再生操作によってコンテンツの再生を行う録画再生方法において、録画済み複数コンテンツから再生したいコンテンツを選択する選択ステップと、前記選択したコンテンツの録画時間と現在時刻から再生終了時刻を算出する再生終了時刻算出ステップと、前記現在時刻をコンテンツ再生開始時刻、前記再生終了時刻をコンテンツ再生終了時刻として、現在時刻の経過とともに再生済み時間をグラフ表示するプログレスバーを生成する表示情報生成ステップと、前記プログレスバーを表示する表示ステップを備えたことを特徴とする。
【００１２】
また、本発明の録画再生方法はさらに、再生終了時刻を入力する入力ステップと、前記入力した再生終了時刻と、現在時刻と、コンテンツの録画時間からコンテンツの再生速度を算出する再生速度算出ステップを備え、前記表示情報生成ステップは、現在時刻をコンテンツ再生開始時刻、前記入力した再生終了時刻をコンテンツ再生終了時刻として、現在時刻の経過とともに前記再生速度で再生した再生済み時間をグラフ表示するプログレスバーを生成することを特徴とする。
【００１３】
また、本発明の録画再生プログラムは、リモコンからの再生操作によってコンテンツの再生を行う録画再生プログラムにおいて、録画済み複数コンテンツから再生したいコンテンツを選択する選択ステップと、前記選択したコンテンツの録画時間と現在時刻から再生終了時刻を算出する再生終了時刻算出ステップと、前記現在時刻をコンテンツ再生開始時刻、前記再生終了時刻をコンテンツ再生終了時刻として、現在時刻の経過とともに再生済み時間をグラフ表示するプログレスバーを生成する表示情報生成ステップと、前記プログレスバーを表示する表示ステップを備えたことを特徴とする。
【００１４】
また、本発明の録画再生プログラムはさらに、再生終了時刻を入力する入力ステップと、前記入力した再生終了時刻と、現在時刻と、コンテンツの録画時間からコンテンツの再生速度を算出する再生速度算出ステップを備え、前記表示情報生成ステップは、現在時刻をコンテンツ再生開始時刻、前記入力した再生終了時刻をコンテンツ再生終了時刻として、現在時刻の経過とともに前記再生速度で再生した再生済み時間をグラフ表示するプログレスバーを生成することを特徴とする。
【発明の効果】
【００１５】
本発明では、どの位置から再生を行っても、再生終了時刻を表示することができ、予定時間内に録画番組を見終わることができるかどうか判断することが可能となる。
また、再生終了時刻や再生時間を設定することにより、再生速度を変更することができ、予定時間内に所望の番組を見終わることが可能となる。
また、設定した再生速度で再生させることにより、予定時間内に所望の番組を見終わることが可能となる。
【発明を実施するための最良の形態】
【００１６】
（実施の形態１）
本実施の形態１は、再生開始時に再生終了時刻を表示する動作に関するものである。
図１は、本実施の形態１における録画再生装置１０１の概略機能ブロック図である。リモコン１０２は、再生コンテンツの選択や再生要求を行い、入力部１０３はリモコン１０２からの要求を処理して、録画済み複数コンテンツから再生したいコンテンツを選択する。表示情報生成部１０４は、再生時にディスプレイ１０８に表示するインジケータや番組情報の生成を行う。終了時刻算出部１０５は、現在時刻と再生するコンテンツの再生時間を取得して、再生終了時刻の算出を行う。時計部１０９は、時間の管理を行い、現在時刻を取得することができる。ディスクメディア１１０は、図６のような記録済み番組リスト６０１を保有しており、コンテンツＩＤにより指定したコンテンツの再生時間を取得することができる。再生部１０６は、リモコン１０２により再生要求がされると、再生に必要な情報を取得して再生処理を行う。表示部１０７は、表示情報生成部１０４が生成した表示情報や、再生部１０６が再生する映像情報をディスプレイ１０８に表示する。
リモコン１０２から再生指示を入力すると、入力部１０３がリモコン１０２からの入力を受け付け、その内容を表示情報生成部１０４に伝える。表示情報生成部１０４は、終了時刻算出部１０５に再生終了時刻の算出要求を行う。終了時刻算出部１０５は、時計部１０９から現在時刻を、ディスクメディア１１０の記録済み番組リスト６０１から番組の再生時間を取得し、再生終了時刻の算出を行う。算出が終了すると、表示情報生成部１０４は、再生部１０６に再生要求を行う。再生処理に関する技術は本発明と直接関係がないので、ここでは詳細説明を省略する。再生部１０６は表示部１０７を介してディスプレイ１０８に再生を行う。
【００１７】
以上のように構成された録画再生装置１０１において再生終了時刻を表示する動作について説明する。
図２は、リモコン１０２から再生指示が入力された場合に、録画再生装置１０１において行われる再生終了時刻表示処理のフローチャートである。
先ず、録画再生装置１０１は、現在時刻を取得し、次にディスクメディア１１０から再生する記録番組の再生時間を取得する（ステップＳ２０１）。
次に、取得した現在時刻と再生時間の加算を行い、再生終了時刻の算出を行う（ステップＳ２０２）。
続いて、指定した記録番組の再生開始を行い（ステップＳ２０３）、進捗バー（プログレスバー）、再生開始時刻、再生終了時刻、現在時刻（以後、これらの情報をまとめて「インジケータ」と呼ぶ）の表示を行う（ステップＳ２０４）。
再生中であれば（ステップＳ２０５：Ｎｏ）、再生の進捗具合に合わせて進捗バー（プログレスバー）と現在時刻の表示の更新を行う（ステップＳ２０６）。
一方、再生が終了すれば、表示処理も終了させる（ステップＳ２０５：Ｙｅｓ）。
【００１８】
ここで、実際の例を用いて、実施の形態１を説明する。ディスクメディア１１０には、あらかじめ図６に示すような番組が記録されているものとして説明を行う。
【００１９】
（１）再生開始時のインジケータの表示
リモコン１０２を用いて、図３のような番組選択画面（ナビ画面）３０１を表示し、再生する番組を選択する。ここで、番組Ａを選択する。番組の指定にはコンテンツＩＤを使用し、番組Ａの場合コンテンツＩＤは００１となる。番組が選択されると、ディスクメディア１１０から指定したコンテンツＩＤ（００１）に対する再生時間（３時間００分）が取得され、時計部１０９から取得した現在時刻（１９時００分）との加算を行うことにより、再生終了時刻（２２時００分）を算出する。算出した結果を再生開始時に表示したのが図４（ａ）である。図４（ａ）は再生開始時の画面なので、再生開始時刻４０２に現在時刻（１９：００）が表示される。終了時刻算出部１０５で求めた再生終了時刻４０３（２２：００）も図４（ａ）のように再生開始時刻と同じ時系列上に並べて表示される。
【００２０】
（２）再生開始１時間３０分後のインジケータの表示
再生開始から１時間３０分経過した時の画面が図４（ｂ）である。再生開始時刻４０５と再生終了時刻４０７は変化せず、再生の進捗率を表す進捗バー（プログレスバー）の表示が更新される。現在再生位置の部分には、現在時刻４０６（２０：３０）も表示され、ユーザは現時点での進捗率を容易に把握することが可能となる。
【００２１】
（３）再生停止５分後の再生再開時のインジケータの表示
１時間３０分再生した時点（２０時３０分）で、一旦再生を停止し（図５（ａ）参照）、５分後（２０時３５分）に停止した位置から再生を行った時の画面を図５（ｂ）に示す。番組の途中からの再生なので、図５（ｂ）の進捗バー（プログレスバー）５０６は再生開始位置までは再生が完了しているような表示になる。再生終了時刻は再生再開時に再計算が行われ、図５（ｂ）のように停止していた時間（５分）だけ遅くなったものが表示される（５０８参照）。
【００２２】
以上のようにして、本発明の実施の形態１では、再生開始時に再生終了時刻を表示することにより、ユーザの空き時間等に記録番組を見終わることが可能かどうかの判断を容易にすることが可能となる。
【００２３】
（実施の形態２）
本実施の形態２は、ユーザが再生終了時刻や再生時間、再生速度を設定した時の動作に関するものである。
図７は、本実施の形態２における録画再生装置７０１の概略機能ブロック図である。録画再生装置７０１の構成は、実施の形態１とほぼ同様である。したがって、ここでは、実施の形態１の構成と異なる部分についてのみ説明を行う。再生速度算出部７０６は、リモコン７０２により入力された再生終了時刻や再生時間で再生を終了させるための再生速度の算出を行う。終了時刻算出部７０５は、実施の形態１と同様に再生開始時の再生終了時刻の算出を行うが、それ以外に、リモコン７０２から入力された再生時間と現在時刻を用いた再生終了時刻の算出や、リモコン７０２から入力された再生速度に応じた再生終了時刻の算出も行う。
実施の形態１の手順で再生が行われた後に、リモコン７０２から再生速度を変更するための情報が入力されると、入力部７０３は表示情報生成部７０４に入力された情報を伝える。表示情報生成部７０４は、入力された情報を再生速度算出部７０６に伝えて再生速度の算出を行い、終了時刻算出部７０５にも入力された情報を伝えて再生終了時刻の算出も行う。表示情報生成部７０４は、再生部７０７に算出された再生速度での再生要求を行う。再生部７０７が再生を開始すると、表示部７０８が表示情報生成部７０４で生成された情報と再生部７０７で再生された映像をディスプレイ７１１に表示する。
【００２４】
以上のように構成された録画再生装置７０１において再生速度を設定する動作について説明する。
図８は、再生開始後に再生終了時刻または再生時間が入力され、再生速度が変更されるまでのフローチャートである。
先ず、実施の形態１と同様に選択した番組の再生を行い（ステップＳ８０１）、インジケータの表示を行う（ステップＳ８０２）。
再生中であれば（ステップＳ８０３：Ｎｏ）、再生終了時刻または再生時間が入力されていないかチェックを行う（ステップＳ８０４）。
再生終了時刻または再生時間が入力されていれば（ステップＳ８０４：Ｙｅｓ）、入力された時間までに再生を終了させるための再生速度の算出を行う（ステップＳ８０５）。
次に、算出された再生速度で再生を行い（ステップＳ８０６）、インジケータの表示の更新を行う（ステップＳ８０７）。
一方、再生終了時刻や再生時間の入力がされていなければ（ステップＳ８０４：Ｎｏ）、そのままインジケータの表示の更新を行う（ステップＳ８０７）。
再生が終了すれば（ステップＳ８０３：Ｙｅｓ）、再生速度設定処理も終了する。
【００２５】
図９は、再生開始後に再生速度が入力されてから再生速度が変更されるまでのフローチャートである。
先ず、選択した番組の再生を行い（ステップＳ９０１）、インジケータの表示を行う（ステップＳ９０２）。
再生中であれば（ステップＳ９０３：Ｎｏ）、再生速度が入力されていないかチェックを行う（ステップＳ９０４）。
再生速度が入力されていれば（ステップＳ９０４：Ｙｅｓ）、入力された再生速度で再生を行う（ステップＳ９０５）。
次に、入力された再生速度に対する再生終了時刻の算出を行い（ステップＳ９０６）、インジケータ表示の更新を行う（ステップＳ９０７）。
一方、再生速度の入力がされていなければ（ステップＳ９０４：Ｎｏ）、引き続きインジケータ表示の更新を行う（ステップＳ９０７）。
再生が終了すれば（ステップＳ９０３：Ｙｅｓ）、再生速度設定処理も終了する。
【００２６】
ここで、実際の例を用いて、実施の形態２の説明を行う。ディスクメディア７１０には、あらかじめ番組が記録されているものとして説明を行う。
【００２７】
（１）再生終了時刻入力による再生速度の設定
リモコン７０２を用いて番組選択画面（ナビ画面）３０１から番組を選択して再生を開始するまでは実施の形態１と同様なので、省略する。ここでは、実施の形態１と同様に、コンテンツＩＤが００１で再生時間が３時間００分の番組Ａを選択して再生を行うこととする。１９時００分に再生を開始し、表示された再生終了時刻（２２時００分）がユーザの空き時間を超えていた場合、ユーザはリモコン７０２を用いて再生終了時刻の設定要求を行う。要求を行うと、図１０（ａ）のような再生終了時刻設定確認画面１００１が表示され、「はい」を選択すると、図１０（ｂ）に示す再生終了時刻設定画面１００２が表示される。ユーザが２１時まで空き時間があるとすると、ここで再生終了時刻に２１時００分を設定する。設定が行われると、３時間００分の番組を２１時００分に再生完了させるための再生速度の算出を行う。ここでは、３時間００分（１８０分）の番組を２時間００分（１２０分）で再生するため、再生速度は１８０÷１２０＝１．５で１．５倍速となる。再生が再開されると、図１０（ｃ）１００３のように再生速度が１．５倍に変更され、再生終了時刻１００４も２１：００に変更される。
【００２８】
（２）再生時間入力による再生速度の設定
再生終了時刻だけでなく、再生時間を設定することにより、再生速度を変更させることも可能である。終了時刻表示の場合と同様の状況で、再生時間を設定した時の実施例を以下に示す。１９時００分に番組Ａの再生を行い、リモコン７０２を用いて再生時間の変更要求を行う。要求を行うと、図１１（ａ）に示すような再生時間設定画面１１０１が表示され、ユーザが所望する再生時間を設定することができる。ここで、再生時間を１時間と設定すると、３時間００分の番組を１時間で再生完了させるための再生速度を計算（１８０÷６０＝３）し、その速度で再生を再開する。再生を再開した時の画面が図１１（ｂ）のようになる。再生速度が３倍速となり（図１１（ｂ）１１０２）、再生終了時刻１１０３が現在時刻１９：００に１時間を加えた２０：００に変更される。
【００２９】
（３）再生速度入力による再生速度の設定
時間情報の設定だけではなく、再生速度自体もユーザが設定することが可能である。再生速度設定要求が行われると、図１２（ａ）に示すような再生速度設定画面１２０１を表示する。ここで、２倍速を選択し、設定を行うと、再生終了時刻の再計算を行う。３時間００分の番組を２倍速で再生するので、再生時間は１時間３０分となり、図１２（ｂ）に示すように、再生終了時刻１２０３は１９：００に１時間３０分を加えた２０：３０と変更される。
【００３０】
（４）スケール形式での再生時間入力による再生速度の設定
数値による再生時間の入力だけでなく、スケールを用いて視覚的に再生時間を設定することも可能である。実施例（２）と同様の番組を再生し、再生時間の変更要求を行うと、図１３（ａ）に示すような再生時間設定画面１３０１が表示される。バー表示されているスケール１３０２の右端を左に移動させることにより、再生時間を変更させることができる。ここで、再生時間を２時間と設定すると、３時間００分の番組を２時間で再生完了させるための再生速度を計算（１８０÷１２０＝１．５）し、その速度で再生を再開する。再生再開時の画面が図１３（ｂ）のようになる。再生速度が１．５倍速となり（図１３（ｂ）１３０３）、再生終了時刻１３０４が現在時刻１９：００に２時間を加えた２１：００に変更される。
【００３１】
以上のように、ユーザが終了時刻や視聴時間、再生速度を設定することにより、限られた時間内にユーザが所望する番組を視聴することが可能となる。
【００３２】
（実施の形態３）
本実施の形態３は、早送りや早戻し等を行った際の動作に関するものである。
本実施の形態３における録画再生装置の概略機能ブロック図は、図７と同様である。
再生を開始して、インジケータを表示する処理までは、実施の形態１や実施の形態２と同様である。再生開始後、リモコン７０２から早送りや早戻し等の要求（以後、早送り要求が行われたとして説明を行う）を入力すると、入力部７０３がリモコン７０２からの入力を受け付け、表示情報生成部７０４を通して、再生部７０７に伝える。再生部７０７は早送り処理を行い、表示部７０８を介してディスプレイ７１１に表示する。早送り中に再度、リモコン７０２から再生要求が入力されると、入力部７０３は表示情報生成部７０４に再生要求を通知する。再生要求が通知されると、表示情報生成部７０４は、終了時刻算出部７０５に残り再生時間を通知して、再生終了時刻の算出要求を行う。終了時刻算出部７０５は、表示情報生成部７０４から通知された残り再生時間と、時計部７０９から取得した現在時刻を用いて、再生終了時刻の算出を行う。再生終了時刻の算出が終了すると、表示情報生成部７０４は、再生部７０７に再生要求を行う。再生部７０７が再生を開始すると、表示情報生成部７０４で生成した情報と再生部７０７で再生された映像を、ディスプレイ７１１に表示する。
【００３３】
以上のように構成された録画再生装置７０１において、早送りが行われた時に再生終了時刻を更新する処理について説明を行う。
図１４は、再生開始後早送りを行い、再生を再開した時の再生終了時刻再表示処理のフローチャートである。
先ず、選択した番組の再生を行い（ステップＳ１４０１）、インジケータの表示を行う（ステップＳ１４０２）。
再生が停止していなければ（ステップＳ１４０３：Ｎｏ）、早送り中かどうかのチェックを行う（ステップＳ１４０４）。
早送り中であれば（ステップＳ１４０４：Ｙｅｓ）、そのまま早送りを行う。
早送り中でなければ（ステップＳ１４０４：Ｎｏ）、次に再生が再開されたかどうかのチェックを行う（ステップＳ１４０５）。
再生が再開されていれば（ステップＳ１４０５：Ｙｅｓ）、残りの再生時間と現在時刻を加算して再生終了時刻の算出を行い（ステップＳ１４０６）、表示の更新を行う（ステップＳ１４０７）。
再生が再開されていなければ（ステップＳ１４０５：Ｎｏ）、何も処理を行わない。
再生が停止されると（ステップＳ１４０３：Ｙｅｓ）、再生終了時刻再表示処理を終了させる。
【００３４】
ここで、実際の例を用いて、実施の形態３の説明を行う。ディスクメディア７１０には、あらかじめ番組が記録されているものとして説明を行う。
リモコン７０２を用いて番組選択画面（ナビ画面）３０１から番組を選択して再生を開始するまでは実施の形態１と同様なので、省略する。ここでは、実施の形態１と同様に、コンテンツＩＤが００１で再生時間が３時間００分の番組Ａを選択して再生を行うこととする。１９時００分に再生を開始し、１時間３０分ほど再生を行ってから、早送りを実行する（図１５（ａ）参照）。しばらく早送りを行った後に、再度再生を行った時の画面を図１５（ｂ）に示す。早送りした分、再生時間が進んでいるので、進捗バー１５０２が早送り前よりも進んだ形で表示される。また、再生終了時刻１５０３の再計算も行われ、再生開始時の再生終了時刻よりも、早送りした分早い時刻になったものが表示される。
【００３５】
以上のように、本実施の形態３では、早送りや早戻し等を行ったときに、再生終了時刻を更新することにより、ユーザ操作に対する再生終了時刻の変動を容易に把握することが可能となる。
【００３６】
（実施の形態４）
本実施の形態４は、録画中の再生（以後、「追っかけ再生」と呼ぶ）を行った際の動作に関するものである。
図１６は、本実施の形態４における録画再生装置１６０１の概略機能ブロック図である。録画再生装置１６０１の構成は、実施の形態２とほぼ同様である。したがって、ここでは、実施の形態２の構成と異なる機能ブロックについてのみ説明を行う。録画部１６０５は、リモコン１６０２により録画要求がされると、受信部１６１４がアンテナ１６１３から受信する映像情報の録画処理を行う。受信部１６１４は、映像情報だけでなく、ＥＰＧ（Ｅｌｅｃｔｒｏｎｉｃ  Ｐｒｏｇｒａｍ  Ｇｕｉｄｅ）情報の受信も行い、取得したＥＰＧ情報をディスクメディア１６１１に保存する。終了時刻算出部１６０６は、追っかけ再生を行った場合、ディスクメディア１６１１から録画中の番組の開始時刻と終了時刻を取得し、番組長を求めてから、再生終了時刻の算出を行う。
リモコン１６０２から録画指示を入力すると、入力部１６０３がリモコン１６０２からの入力を受け付け、録画部１６０５に録画開始要求を行う。録画開始要求を受けると、録画部１６０５は録画を開始する。録画処理に関する技術は本発明と直接関係がないので、ここでは詳細説明を省略する。次に、リモコン１６０２から再生指示を入力すると、入力部１６０３が再生指示を受け付け、表示情報生成部１６０４に指示内容を通知する。内容を通知された表示情報生成部１６０４は、終了時刻算出部１６０６に再生終了時刻の算出要求を行う。終了時刻算出部１６０６は、追っかけ再生の開始要求であれば、ディスクメディア１６１１の番組リスト１９０１から録画をしている番組の開始時刻と終了時刻を取得し、録画中番組の番組長を算出する。算出した番組長と、時計部１６１０から取得した現在時刻を加算して再生終了時刻を求める。再生終了時刻の算出が終了すると、表示情報生成部１６０４は、再生部１６０８に再生要求を行う。再生部１６０８が再生を開始すると、表示部１６０９が表示情報生成部１６０４で生成された情報と再生部１６０８で再生された映像をディスプレイ１６１２に表示する。
【００３７】
以上のように構成された録画再生装置１６０１において、追っかけ再生時のインジケータ表示の動作について説明を行う。
図１７は、録画を開始して追っかけ再生をした時に、録画再生装置１６０１において行われる再生終了時刻表示処理のフローチャートである。
先ずは、録画を開始し（ステップＳ１７０１）、再生要求が行われたかどうかチェックを行う（ステップＳ１７０２）。
再生要求が行われると（ステップＳ１７０２：Ｙｅｓ）、時計部１６１０から現在時刻を取得し、ディスクメディア１６１１から録画している番組の開始時刻と終了時刻を取得する（ステップＳ１７０３）。
次に、取得した番組開始時刻と終了時刻の減算結果（番組長）と現在時刻の加算を行い、再生終了時刻の算出を行う（ステップＳ１７０４）。
続いて、現在記録している番組の記録部分の再生を行い（ステップＳ１７０５）、インジケータの表示を行う（ステップＳ１７０６）。
再生中であれば（ステップＳ１７０７：Ｎｏ）、インジケータ表示の更新を行う（ステップＳ１７０８）。
一方、再生が終了すれば（ステップＳ１７０７：Ｙｅｓ）、表示処理も終了させる。
【００３８】
ここで、実際の例を用いて、実施の形態４の説明を行う。ディスクメディア１６１１には、あらかじめ図１９に示すような番組リスト１９０１が取得されているものとして説明を行う。
リモコン１６０２を用いて、図１９の番組リスト１９０１中のＩＤが０１９の番組Ｓ（開始時刻：１９時００分、終了時刻：２１時００分）の録画予約を行う。１９時になり、番組Ｓの録画が開始される。録画を開始してから３０分経過した時の画面の様子を図１８（ａ）に示す。画面に番組の開始時刻と終了時刻が表示され、現在の録画位置１８０２が表示される。
３０分経過した時点（１９時３０分）で、ユーザが録画している番組を最初から見ようとして再生を行う。再生要求が行われると、ディスクメディア１６１１から現在録画中の番組の開始時刻（１９：００）と終了時刻（２１：００）を取得し、番組の長さを求める（２１−１９＝２［時間］）。求めた番組の長さ（２時間）と時計部１６１０から取得した現在時刻（１９：３０）との加算を行い、再生終了時刻（２１：３０）を求める。追っかけ再生が行われると図１８（ｂ）のように、画面中に算出した再生終了時刻１８０６が表示される。
追っかけ再生を開始してから、更に３０分経過した時の画面の様子を図１８（ｃ）に示す。再生の進捗バー１８０８や現在録画位置１８０９は、経過時間に合わせて更新されたものが表示される。
【００３９】
以上のように、本実施の形態４では、録画している番組の開始時刻・終了時刻を取得することにより、追っかけ再生をした時も、再生終了時刻を容易に把握することが可能となる。
【００４０】
（実施の形態５）
本実施の形態５は、追っかけ再生中に、録画番組の放送が延長になった時の動作に関するものである。
図２０は、本実施の形態５における録画再生装置２００１の概略機能ブロック図である。録画再生装置２００１の構成は、実施の形態４とほぼ同様であるため、ここでは、実施の形態４と異なる機能ブロックについてのみ説明を行う。延長検出部２０１０は、録画中（視聴中）の番組の延長を検出し、録画処理を行っている録画部２００５と、表示情報の作成を行っている表示情報生成部２００４に番組延長の通知を行う。受信部２０１５は、新たなＥＰＧ情報を受信すると、延長検出部２０１０に通知を行い、ディスクメディア２０１２に新たに受信したＥＰＧ情報を保存する。
追っかけ再生を行うまでの手順は、実施の形態４と同様である。追っかけ再生中に、延長検出部２０１０が、ディスクメディア２０１２に保存しているＥＰＧ情報と受信部２０１５から通知されたＥＰＧ情報を比較し、録画中の番組の延長を検出すると、録画部２００５に番組延長通知を行い、録画終了時刻の変更を行う。また、延長検出部２０１０は、表示情報生成部２００４にも番組延長通知を行う。表示情報生成部２００４は番組延長通知を受けると、再度、終了時刻算出部２００６に再生終了時刻の算出要求を行う。終了時刻算出部２００６は、ディスクメディア２０１２から録画中の番組の終了時刻を取得し、再生終了時刻の再計算を行う。算出が終了すると、今までの実施の形態と同様に表示部２００９を介して、ディスプレイ２０１３に再生終了時刻の表示を行う。
【００４１】
以上のように構成された録画再生装置２００１において、追っかけ再生中に番組延長が発生した時に再生終了時刻を更新する処理について説明を行う。
図２１は、録画開始後追っかけ再生を行い、追っかけ再生中に録画中の番組の放送延長が発生した時の録画再生装置２００１において行われる再生終了時刻更新処理のフローチャートである。
先ず、録画を開始する（ステップＳ２１０１）。
次に、録画中の番組の再生を行い（ステップＳ２１０２）、インジケータの表示を行う（ステップＳ２１０３）。
再生中であれば（ステップＳ２１０４：Ｎｏ）、録画中の番組の放送延長が発生していないかチェックを行う（ステップＳ２１０５）。
放送延長が発生していれば（ステップＳ２１０５：Ｙｅｓ）、放送終了時刻の取得を行い、番組長の算出を行う（ステップＳ２１０６）。
再生開始時刻に取得した番組長を加算して再生終了時刻を算出し（ステップＳ２１０７）、インジケータ表示の更新を行う（ステップＳ２１０８）。
放送延長が発生していない場合は（ステップＳ２１０５：Ｎｏ）、インジケータ表示の更新のみを行う（ステップＳ２１０８）。
一方、再生が終了すれば（ステップＳ２１０４：Ｙｅｓ）、インジケータの表示処理も終了させる。
【００４２】
ここで、実際の例を用いて、本実施の形態５の説明を行う。実施の形態４と同様に、ディスクメディア２０１２には、あらかじめ番組リスト１９０１が取得されているものとして説明を行う。
番組リスト１９０１中の番組Ｓ（開始時刻＝１９：００、終了時刻＝２１：００）の予約録画を設定しておく。１９時３０分になり、ユーザが録画中番組の先頭からの再生要求を行う。再生要求が行われると、ディスクメディア２０１２から録画中番組の開始時刻と終了時刻を取得し、番組長を求める（２１−１９＝２［時間］）。求めた番組長（２時間）と、時計部２０１１から取得した現在時刻（１９：３０）との加算を行い、再生終了時刻（２１：３０）を求める。求めた再生終了時刻をディスプレイ２０１３に表示させて、ユーザに再生終了時刻を提示する。追っかけ再生を開始してから１時間経過すると、図２２（ａ）のような画面表示となる。このときに、録画中番組の放送延長が発生し、放送終了時刻が２１：００から２１：３０に変更になったとする。録画再生装置は放送が延長になったことを検出すると、放送終了時刻を取得し、番組長の算出（２１．５−１９＝２．５［時間］）を行う。算出した番組長を再生開始時刻と加算することにより再生終了時刻の算出を行う（１９時３０分＋２時間３０分＝２２時００分）。算出した再生終了時刻を元にインジケータ表示の更新を行った画面を図２２（ｂ）に示す。再生時間が増加したので進捗バー２２０３の幅が短くなり、再計算された再生終了時刻２２０４が画面に表示される。
【００４３】
以上のように、本実施の形態５では、番組延長が発生した時に放送終了時刻を再度取得して、再生終了時刻を再計算することにより、放送延長が発生しても、追っかけ再生中の番組の再生終了時刻を容易に把握することが可能となる。
【００４４】
以上、本発明に係る録画再生装置の構成、及び再生終了時刻の表示、再生速度の設定処理について、実施の形態に基づいて説明を行ったが、本発明はこれら実施の形態に限られないことは勿論である。
即ち、
（１）前記実施の形態においては、同一の時系列軸上に再生開始時刻・現在時刻・再生終了時刻を表示したが、再生終了時刻のみを表示する形態であってもよい。この場合も、現在の再生速度モードに応じた終了予定時刻が表示される。
（２）前記実施の形態においては、再生終了時刻を予めユーザが指定する形態としたが、再生終了時刻の指定方法はこれに制限されるものではなく、例えば、カーナビゲーションシステムにおける目的地までの到着予定時刻が設定されてもよい。
（３）前記実施の形態においては、再生終了時刻や再生時間等をリモコンで入力する形態としたが、入力方法はこれに制限されるものではなく、例えば、音声による情報の入力であってもよい。
（４）前記実施の形態においては、早送りや早戻しで再生終了時刻が変更するとしたが、スロー再生や１．３倍速再生等、再生速度が変更するものであればどのような操作でもよい。
【産業上の利用可能性】
【００４５】
本発明に係る記録再生装置は、再生開始時に再生終了時刻を表示させることで、多数の記録済み番組から所望の視聴可能な番組を選択する処理に有用である。
【図面の簡単な説明】
【００４６】
【図１】本発明の実施の形態１における録画再生装置の構成図
【図２】本発明の実施の形態１における再生終了時刻表示処理のフローチャート
【図３】記録済み番組の選択を行うための表示の例を示す図
【図４】本発明の実施の形態１における再生終了時刻の表示の例を示す図
【図５】本発明の実施の形態１におけるレジューム再生時の再生終了時刻の表示の例を示す図
【図６】記録済み番組リストの構成を示す図
【図７】本発明の実施の形態２・実施の形態３における録画再生装置の構成図
【図８】本発明の実施の形態２における再生終了時刻／再生時間入力時の再生速度設定処理のフローチャート
【図９】本発明の実施の形態２における再生速度入力時の再生速度設定処理のフローチャート
【図１０】本発明の実施の形態２における再生終了時刻入力に関する表示の例を示す図
【図１１】本発明の実施の形態２における再生時間入力に関する表示の例を示す図
【図１２】本発明の実施の形態２における再生速度入力に関する表示の例を示す図
【図１３】本発明の実施の形態２においてスケールによる再生時間入力に関する表示の例を示す図
【図１４】本発明の実施の形態３における再生終了時刻の再表示処理のフローチャート
【図１５】本発明の実施の形態３において早送り後に再生をした時の再生終了時刻の表示の例を示す図
【図１６】本発明の実施の形態４における録画再生装置の構成図
【図１７】本発明の実施の形態４における追っかけ再生時の再生終了時刻表示処理のフローチャート
【図１８】本発明の実施の形態４における追っかけ再生時の再生終了時刻の表示の例を示す図
【図１９】番組リストの構成を示す図
【図２０】本発明の実施の形態５における録画再生装置の構成図
【図２１】本発明の実施の形態５における番組延長時の再生終了時刻表示処理のフローチャート
【図２２】本発明の実施の形態５における番組延長発生時の再生終了時刻の表示の例を示す図
【符号の説明】
【００４７】
１０１  録画再生装置
１０２  リモコン
１０３  入力部
１０４  表示情報生成部
１０５  終了時刻算出部
１０６  再生部
１０７  表示部
１０８  ディスプレイ
１０９  時計部
１１０  ディスクメディア
３０１  番組選択画面の例
４０１  再生開始時の画面の例
４０２  再生開始時刻
４０３  再生終了時刻
４０４  再生中の画面の例
４０６  現在時刻
５０１  再生停止時の画面の例
５０５  レジューム位置からの再生開始時の画面の例
５０６  進捗バーの表示例
６０１  記録済み番組リストの例
７０６  再生速度算出部
１００１  再生終了時刻設定確認画面の例
１００２  再生終了時刻設定画面の例
１００３  再生速度の表示例
１１０１  再生時間設定画面の例
１２０１  再生速度設定画面の例
１３０１  スケールによる再生時間設定画面の例
１３０２  スケールの表示例
１５０１  早送り時の画面の例
１６０５  録画部
１６１３  アンテナ
１６１４  受信部
１８０１  録画中の画面の例
１８０２  現在録画位置の表示例
１８０４  追っかけ再生開始時の画面の例
１８０７  追っかけ再生中の画面の例
１９０１  番組リストの例
２０１０  延長検出部
２２０１  追っかけ再生中の画面の例
２２０２  番組延長発生時の画面の例
【図１】
2006295753.tif 000003
【図２】
2006295753.tif 000004
【図３】
2006295753.tif 000005
【図４】
2006295753.tif 000006
【図５】
2006295753.tif 000007
【図６】
2006295753.tif 000008
【図７】
2006295753.tif 000009
【図８】
2006295753.tif 000010
【図９】
2006295753.tif 000011
【図１０】
2006295753.tif 000012
【図１１】
2006295753.tif 000013
【図１２】
2006295753.tif 000014
【図１３】
2006295753.tif 000015
【図１４】
2006295753.tif 000016
【図１５】
2006295753.tif 000017
【図１６】
2006295753.tif 000018
【図１７】
2006295753.tif 000019
【図１８】
2006295753.tif 000020
【図１９】
2006295753.tif 000021
【図２０】
2006295753.tif 000022
【図２１】
2006295753.tif 000023
【図２２】
2006295753.tif 000024